(57)【要約】【課題】検査機関における検体の管理負担を軽減すべく、ＩＣタグに必要な情報を書き込むタグ書込装置を提供する。【解決手段】タグ書込装置２は、ハンディタイプのハウジング４を備え、このハウジング４は、細長いハンドル部６及び先端を下方に湾曲させた検体情報読取部８により構成されている。また、このタグ書込装置２は、バーコードに記録されている情報を読み取るバーコードリーダ２０及び非接触でＩＣタグに情報を書き込むＩＣタグライタ１６を内蔵している。検体に付されたバーコード２２に記録されている院内検体ＩＤ（検体識別情報）は、バーコードリーダ２０介して読み取られ、検査センタ用検体ＩＤ（検査機関用検体識別情報）に変換された後、検体に付されているＩＣタグ２４にＩＣタグライタ１６を介して書き込まれる。【選択図】　図１
2004085287.tif 000002
【特許請求の範囲】
【請求項１】
ハンディタイプのハウジングを有するタグ書込装置であって、検査に用いる検体を採取した各機関において用いられている検体識別情報を、前記検体の検査を依頼された検査機関において用いられる検査機関用検体識別情報に変換するための変換パターンを記憶する変換パターンテーブルと、
前記検体に付されたバーコードに記録されている前記検体識別情報を読み取るバーコードリーダと、
前記変換パターンテーブルを参照して、前記バーコードリーダにより読み取られた前記検体識別情報を前記検査機関用検体識別情報に変換する検体識別情報変換手段と、
前記検体識別情報変換手段により変換された前記検査機関用検体識別情報を前記検体に付されているＩＣタグに書き込むＩＣタグライタと
を備えることを特徴とするタグ書込装置。
【請求項２】
ハンディタイプのハウジングを有するタグ書込装置であって、検査に用いる検体を採取した各機関において用いられている検体識別情報を、前記検体の検査を依頼された検査機関において用いられる検査機関用検体識別情報に変換するための変換パターンを記憶する変換パターンテーブルと、
前記検体の検査依頼書に付されたバーコードに記録されている前記検体識別情報を読み取るバーコードリーダと、
前記変換パターンテーブルを参照して、前記バーコードリーダにより読み取られた前記検体識別情報を前記検査機関用検体識別情報に変換する検体識別情報変換手段と、
前記検体識別情報変換手段により変換された前記検査機関用検体識別情報を前記検査依頼書に付されているＩＣタグに書き込むＩＣタグライタと
を備えることを特徴とするタグ書込装置。
【請求項３】
検体の検査依頼内容が記載された検査依頼書の画像データを読み取る画像データ読取手段と、
前記画像データ読取手段により読み取られた前記検査依頼書の画像データを、前記検体に付されたＩＣタグに書き込むＩＣタグライタと
を備えることを特徴とするタグ書込装置。
【請求項４】
検査に用いる検体を採取した各機関において用いられている検体識別情報を、前記検体の検査を依頼された検査機関において用いられる検査機関用検体識別情報に変換するための変換パターンを記憶する変換パターンテーブルと、
前記検査依頼書に付された検体識別情報を入力する入力手段と、
前記変換パターンテーブルを参照して、前記入力手段により入力された前記検体識別情報を前記検査機関用検体識別情報に変換する検体識別情報変換手段とを更に備え、
前記ＩＣタグライタは、前記検体識別情報変換手段により変換された前記検査機関用検体識別情報を前記ＩＣタグに更に書き込むことを特徴とする請求項３記載のタグ書込装置。
【請求項５】
検査に用いる検体を採取した各機関において用いられている検体識別情報を、前記検体の検査を依頼された検査機関において用いられる検査機関用検体識別情報に変換するための変換パターンを記憶する変換パターンテーブルと、
前記画像データ読取手段により読み取られた前記画像データに含まれる検体識別情報を認識する検体識別情報認識手段と、
前記変換パターンテーブルを参照して、前記検体識別情報認識手段により認識された前記検体識別情報を前記検査機関用検体識別情報に変換する検体識別情報変換手段とを更に備え、
前記ＩＣタグライタは、前記検体識別情報変換手段により変換された前記検査機関用検体識別情報を前記ＩＣタグに更に書き込むことを特徴とする請求項３記載のタグ書込装置。
【請求項６】
検査に用いる検体を採取した各機関において用いられている検体識別情報を、前記検体の検査を依頼された検査機関において用いられる検査機関用検体識別情報に変換するための変換パターンを記憶する変換パターンテーブルと、
前記検査依頼書に付されたバーコードに記録された検体識別情報を読み取るバーコードリーダと、
前記変換パターンテーブルを参照して、前記バーコードリーダにより読み取られた前記検体識別情報を前記検査機関用検体識別情報に変換する検体識別情報変換手段とを更に備え、
前記ＩＣタグライタは、前記検体識別情報変換手段により変換された前記検査機関用検体識別情報を前記ＩＣタグに更に書き込むことを特徴とする請求項３記載のタグ書込装置。
【請求項７】
検体の検査依頼内容が記載された検査依頼書の記載内容を認識するタブレット装置と、
前記タブレット装置により認識された前記検査依頼書の記載内容を、前記検体に付されたＩＣタグに書き込むＩＣタグライタと
を備えることを特徴とするタグ書込装置。
【請求項８】
検査に用いる検体を採取した各機関において用いられている検体識別情報を、前記検体の検査を依頼された検査機関において用いられる検査機関用検体識別情報に変換するための変換パターンを記憶する変換パターンテーブルと、
前記検査依頼書に付された検体識別情報を入力する入力手段と、
前記変換パターンテーブルを参照して、前記入力手段により入力された前記検体識別情報を前記検査機関用検体識別情報に変換する検体識別情報変換手段とを更に備え、
前記ＩＣタグライタは、前記検体識別情報変換手段により変換された前記検査機関用検体識別情報を前記ＩＣタグに更に書き込むことを特徴とする請求項７記載のタグ書込装置。
【請求項９】
検査に用いる検体を採取した各機関において用いられている検体識別情報を、前記検体の検査を依頼された検査機関において用いられる検査機関用検体識別情報に変換するための変換パターンを記憶する変換パターンテーブルと、
前記タブレット装置により認識された前記検査依頼書の記載内容に含まれる検体識別情報を識別する検体識別情報識別手段と、
前記変換パターンテーブルを参照して、前記検体識別情報識別手段により識別された前記検体識別情報を前記検査機関用検体識別情報に変換する検体識別情報変換手段とを更に備え、
前記ＩＣタグライタは、前記検体識別情報変換手段により変換された前記検査機関用検体識別情報を前記ＩＣタグに更に書き込むことを特徴とする請求項７記載のタグ書込装置。
【請求項１０】
検査に用いる検体を採取した各機関において用いられている検体識別情報を、前記検体の検査を依頼された検査機関において用いられる検査機関用検体識別情報に変換するための変換パターンを記憶する変換パターンテーブルと、
前記検査依頼書に付されたバーコードに記録された検体識別情報を読み取るバーコードリーダと、
前記変換パターンテーブルを参照して、前記バーコードリーダにより読み取られた前記検体識別情報を前記検査機関用検体識別情報に変換する検体識別情報変換手段とを更に備え、
前記ＩＣタグライタは、前記検体識別情報変換手段により変換された前記検査機関用検体識別情報を前記ＩＣタグに更に書き込むことを特徴とする請求項７記載のタグ書込装置。
【発明の詳細な説明】
【０００１】
【発明の属する技術分野】
この発明は、検査に用いる検体を識別するための検体識別情報をＩＣタグに書き込んで記録するタグ書込装置に関するものである。
【０００２】
【従来の技術】
従来、検査に用いる検体、即ち、人体から採取された組織、血液や病理標本等は、医療機関等において採取され、検査を依頼されている検査機関へと搬送される。即ち、採取された検体は、検査の依頼内容を記載した検査依頼書と共に、医療機関等から集荷されて検査機関に搬入され、検査機関において検査依頼書に記載された検査が行われる。そのため、医療機関等においては、採取した検体と検査依頼書とを結びつけるために、同一の検体識別情報を検体及び検査依頼書に付している。
【０００３】
【発明が解決しようとする課題】
ところで、検査機関は、複数の医療機関等から検査の依頼を受け付けているため、複数の医療機関等において採取された検体及び検査依頼書が搬入される。この時、適正な検査を行うためには、搬入された検体と検査依頼書とをそれぞれ正しく対応させていることが必要となるが、搬入される検体及び検査依頼書には、それぞれの医療機関等において用いられている検体識別情報が付されている。そのため、搬入された検体及び検査依頼書を管理するために、検査機関において新たに検査機関用識別情報を付与しなければならず、検査機関における管理の負担が大きくなっていた。
【０００４】
この発明の課題は、検査機関における検体管理の管理負担を軽減すべく、ＩＣタグに必要な情報を書き込んで記録するタグ書込装置を提供することである。
【０００５】
【課題を解決するための手段】
請求項１記載のタグ書込装置は、ハンディタイプのハウジングを有するタグ書込装置であって、検査に用いる検体を採取した各機関において用いられている検体識別情報を、前記検体の検査を依頼された検査機関において用いられる検査機関用検体識別情報に変換するための変換パターンを記憶する変換パターンテーブルと、前記検体に付されたバーコードに記録されている前記検体識別情報を読み取るバーコードリーダと、前記変換パターンテーブルを参照して、前記バーコードリーダにより読み取られた前記検体識別情報を前記検査機関用検体識別情報に変換する検体識別情報変換手段と、前記検体識別情報変換手段により変換された前記検査機関用検体識別情報を前記検体に付されているＩＣタグに書き込むＩＣタグライタとを備えることを特徴とする。
【０００６】
この請求項１記載のタグ書込装置によれば、検体に付されたバーコードに記録されている検体識別情報をバーコードリーダを介して読み取り、変換パターンテーブルを参照して変換された検査機関用検体識別情報を検体に付されたＩＣタグに書き込んでいる。従って、複数の医療機関のそれぞれにおいて採取された検体を検査機関に搬入している場合であっても、統一的な検査機関用検体識別情報に基づいて容易に検体の管理を行うことができる。
【０００７】
また、請求項２記載のタグ書込装置は、ハンディタイプのハウジングを有するタグ書込装置であって、検査に用いる検体を採取した各機関において用いられている検体識別情報を、前記検体の検査を依頼された検査機関において用いられる検査機関用検体識別情報に変換するための変換パターンを記憶する変換パターンテーブルと、前記検体の検査依頼書に付されたバーコードに記録されている前記検体識別情報を読み取るバーコードリーダと、前記変換パターンテーブルを参照して、前記バーコードリーダにより読み取られた前記検体識別情報を前記検査機関用検体識別情報に変換する検体識別情報変換手段と、前記検体識別情報変換手段により変換された前記検査機関用検体識別情報を前記検査依頼書に付されているＩＣタグに書き込むＩＣタグライタとを備えることを特徴とする。
【０００８】
この請求項２記載のタグ書込装置によれば、検体の検査依頼書に付されたバーコードに記録されている検体識別情報をバーコードリーダを介して読み取り、変換パターンテーブルを参照して変換された検査機関用検体識別情報を検査依頼書に付されたＩＣタグに書き込んでいる。従って、複数の医療機関のそれぞれにおいて採取された検体の検査依頼書を検査機関に搬入している場合であっても、統一的な検査機関用検体識別情報に基づいて容易に検査依頼書の管理を行うことができる。
【０００９】
また、請求項３記載のタグ書込装置は、検体の検査依頼内容が記載された検査依頼書の画像データを読み取る画像データ読取手段と、前記画像データ読取手段により読み取られた前記検査依頼書の画像データを、前記検体に付されたＩＣタグに書き込むＩＣタグライタとを備えることを特徴とする。
【００１０】
この請求項３記載のタグ書込装置によれば、検査依頼書の画像データを検体に付されたＩＣタグに書き込んでいる。従って、多量の検体が搬入された場合であっても、検体に付されたＩＣタグに検査依頼書の画像データが記録されているため、検体と検査依頼書とを一体として管理することができ、検査機関における管理負担を軽減することができる。
【００１１】
また、請求項４記載のタグ書込装置は、検査に用いる検体を採取した各機関において用いられている検体識別情報を、前記検体の検査を依頼された検査機関において用いられる検査機関用検体識別情報に変換するための変換パターンを記憶する変換パターンテーブルと、前記検査依頼書に付された検体識別情報を入力する入力手段と、前記変換パターンテーブルを参照して、前記入力手段により入力された前記検体識別情報を前記検査機関用検体識別情報に変換する検体識別情報変換手段とを更に備え、前記ＩＣタグライタは、前記検体識別情報変換手段により変換された前記検査機関用検体識別情報を前記ＩＣタグに更に書き込むことを特徴とする。
【００１２】
また、請求項５記載のタグ書込装置は、検査に用いる検体を採取した各機関において用いられている検体識別情報を、前記検体の検査を依頼された検査機関において用いられる検査機関用検体識別情報に変換するための変換パターンを記憶する変換パターンテーブルと、前記画像データ読取手段により読み取られた前記画像データに含まれる検体識別情報を認識する検体識別情報認識手段と、前記変換パターンテーブルを参照して、前記検体識別情報認識手段により認識された前記検体識別情報を前記検査機関用検体識別情報に変換する検体識別情報変換手段とを更に備え、前記ＩＣタグライタは、前記検体識別情報変換手段により変換された前記検査機関用検体識別情報を前記ＩＣタグに更に書き込むことを特徴とする。
【００１３】
また、請求項６記載のタグ書込装置は、検査に用いる検体を採取した各機関において用いられている検体識別情報を、前記検体の検査を依頼された検査機関において用いられる検査機関用検体識別情報に変換するための変換パターンを記憶する変換パターンテーブルと、前記検査依頼書に付されたバーコードに記録された検体識別情報を読み取るバーコードリーダと、前記変換パターンテーブルを参照して、前記バーコードリーダにより読み取られた前記検体識別情報を前記検査機関用検体識別情報に変換する検体識別情報変換手段とを更に備え、前記ＩＣタグライタは、前記検体識別情報変換手段により変換された前記検査機関用検体識別情報を前記ＩＣタグに更に書き込むことを特徴とする。
【００１４】
この請求項４〜請求項６記載のタグ書込装置によれば、検査依頼書の画像データに加えて、変換パターンテーブルを参照して変換された検査機関用検体識別情報を検体に付されたＩＣタグに書き込んでいる。従って、検体と検査依頼書とを確実に対応させることができると共に、複数の医療機関のそれぞれにおいて採取された検体を統一的な検査機関用検体識別情報に基づいて容易に管理を行うことができる。
【００１５】
また、請求項７記載のタグ書込装置は、検体の検査依頼内容が記載された検査依頼書の記載内容を認識するタブレット装置と、前記タブレット装置により認識された前記検査依頼書の記載内容を、前記検体に付されたＩＣタグに書き込むＩＣタグライタとを備えることを特徴とする。
【００１６】
この請求項７記載のタグ書込装置によれば、検査依頼書の画像データを検体に付されたＩＣタグに書き込んでいる。従って、多量の検体が搬入された場合であっても、検体と検査依頼書とを一体として管理することができ、検査機関における管理負担を軽減することができる。
【００１７】
また、請求項８記載のタグ書込装置は、検査に用いる検体を採取した各機関において用いられている検体識別情報を、前記検体の検査を依頼された検査機関において用いられる検査機関用検体識別情報に変換するための変換パターンを記憶する変換パターンテーブルと、前記検査依頼書に付された検体識別情報を入力する入力手段と、前記変換パターンテーブルを参照して、前記入力手段により入力された前記検体識別情報を前記検査機関用検体識別情報に変換する検体識別情報変換手段とを更に備え、前記ＩＣタグライタは、前記検体識別情報変換手段により変換された前記検査機関用検体識別情報を前記ＩＣタグに更に書き込むことを特徴とする。
【００１８】
また、請求項９記載のタグ書込装置は、検査に用いる検体を採取した各機関において用いられている検体識別情報を、前記検体の検査を依頼された検査機関において用いられる検査機関用検体識別情報に変換するための変換パターンを記憶する変換パターンテーブルと、前記タブレット装置により認識された前記検査依頼書の記載内容に含まれる検体識別情報を識別する検体識別情報識別手段と、前記変換パターンテーブルを参照して、前記検体識別情報識別手段により識別された前記検体識別情報を前記検査機関用検体識別情報に変換する検体識別情報変換手段とを更に備え、前記ＩＣタグライタは、前記検体識別情報変換手段により変換された前記検査機関用検体識別情報を前記ＩＣタグに更に書き込むことを特徴とする。
【００１９】
また、請求項１０記載のタグ書込装置は、検査に用いる検体を採取した各機関において用いられている検体識別情報を、前記検体の検査を依頼された検査機関において用いられる検査機関用検体識別情報に変換するための変換パターンを記憶する変換パターンテーブルと、前記検査依頼書に付されたバーコードに記録された検体識別情報を読み取るバーコードリーダと、前記変換パターンテーブルを参照して、前記バーコードリーダにより読み取られた前記検体識別情報を前記検査機関用検体識別情報に変換する検体識別情報変換手段とを更に備え、前記ＩＣタグライタは、前記検体識別情報変換手段により変換された前記検査機関用検体識別情報を前記ＩＣタグに更に書き込むことを特徴とする。
【００２０】
この請求項８〜請求項１０記載のタグ書込装置によれば、検査依頼書の画像データに加えて、変換パターンテーブルを参照して変換された検査機関用検体識別情報を検体に付されたＩＣタグに書き込んでいる。従って、検体と検査依頼書とを確実に対応させることができると共に、複数の医療機関のそれぞれにおいて採取された検体を統一的な検査機関用検体識別情報に基づいて容易に管理を行うことができる。
【００２１】
【発明の実施の形態】
以下、図面を参照して、この発明の実施の形態に係るタグ書込装置について説明する。
【００２２】
図１（ａ）は、第１の実施の形態に係るタグ書込装置の平面図である。この図１（ａ）に示すように、タグ書込装置２は、ハンディタイプのハウジング４を備えている。このハウジング４は、細長いハンドル部６と先端を下方に湾曲させた検体情報読取部８とにより構成されている。また、検体情報読取部８の先端には、矩形状の開口部１０が形成されている。
【００２３】
ハンドル部６の上面には、タグ書込装置２の電源を入れるＯＮボタン１２ａ及び電源を切るＯＦＦボタン１２ｂが配設されている。また、検体情報読取部８の上面にはＴＦＤ（Ｔｈｉｎ　Ｆｉｌｍ　Ｄｉｏｄｅ）液晶等により構成される表示部１４が配設されている。更に、ハウジング４の下面には、ＩＣタグに情報を非接触で書き込むＩＣタグライタ１６が配設されている。このＩＣタグライタ１６は、開口部１０よりもハンドル部６側に寄った位置に設けられている。ここで、ＩＣタグには、非接触で情報の読み取り及び書き込みを行うことができるもの、例えば、ＲＦＩＤ（Ｒａｄｉｏ　Ｆｒｅｑｕｅｎｃｙ　Ｉｄｅｎｔｉｆｉｃａｔｉｏｎ）等が用いられる。
【００２４】
図１（ｂ）は、タグ書込装置２の縦断面の概略図である。この図１（ｂ）に示すように、ハウジング４には、開口部１０に対して所定の角度で配設された反射ミラー１８が内蔵されている。また、半導体レーザ光源、スキャニングミラー及び受光素子等を備えるバーコードリーダ２０が配設されている。バーコードリーダ２０から射出されるレーザ光は、反射ミラー１８を介して開口部１０から射出されバーコード２２を照射する。バーコード２２により反射された反射光は、反射ミラー１８を介してバーコードリーダ２０に入射し、バーコードリーダ２０においてバーコード２２に記録されている情報が読み取られる。また、ＩＣタグライタ１６は、電磁波等を利用してバーコードリーダ２０により読み取られた情報をＩＣタグ２４に送信して書き込みを行う。
【００２５】
図２は、第１の実施の形態に係るタグ書込装置２のブロック構成図である。この図２に示すように、タグ書込装置２は、このタグ書込装置２におけるデータの制御を行うデータ制御部３０を備えている。このデータ制御部３０には、バーコードに記録されている情報を読み取るバーコードリーダ２０、バーコードリーダ２０を介して読み取られた情報等を表示する表示部１４及びバーコードリーダ２０を介して読み取られた情報をＩＣタグに書き込むＩＣタグライタ１６が接続されている。また、データ制御部３０には、院内検体ＩＤ（検体識別情報）を検査センタ用検体ＩＤ（検査機関用検体識別情報）に変換するためのＩＤ変換パターンを記憶したＩＤ変換テーブル３２及びバーコードリーダ２０を介して読み取られた情報等を記憶するデータ記憶部３４が接続されている。
【００２６】
ＩＤ変換テーブル３２には、各医療機関において用いられている院内検体ＩＤを検査センタにおいて用いられる検査センタ用検体ＩＤに変換するためのＩＤ変換パターンが記憶されている。即ち、検体は医療機関において採取され、各医療機関において用いられている院内検体ＩＤが付されて検査センタへ搬送される。従って、検査を依頼された検体が複数の医療機関から搬入される検査センタにおいては、搬入された検体を検査依頼書と対応させて適切に管理するために、院内検体ＩＤに代えて検査機関において用いられる検査センタ用検体ＩＤを付与する必要がある。そのため、院内検体ＩＤを検査センタ用検体ＩＤに変換するためのＩＤ変換パターンがＩＤ変換テーブル３２に記憶されている。
【００２７】
ここで、ＩＤ変換テーブル３２に記憶される変換パターンには、院内検体ＩＤに医療機関毎に付与されている施設番号を付加する変換パターンや、院内検体ＩＤに日付を付加する変換パターンが含まれている。
【００２８】
次に、図３のフローチャートを参照して、第１の実施の形態に係るタグ書込装置を介してＩＣタグに検査センタ用検体ＩＤを書き込む処理について説明する。なお、以下においては、医療機関において採取された検体及び検査依頼書を、集荷人が医療機関から集荷し、集荷した検体及び検査依頼書を検査センタに搬入する場合を例として説明する。
【００２９】
まず、医療機関から検体を集荷する際に、採取された検体を収容した試験管等の検体容器に貼り付けられているバーコードに記録されている院内検体ＩＤを、バーコードリーダ２０を介して読み取る（ステップＳ１０）。ここで、検体容器にＩＣタグが貼り付け等されていない場合には、検体容器にＩＣタグを貼り付けた後に、バーコードに記録されている院内検体ＩＤを読み取る。また、検体容器の中にＩＣタグを投入した後に、バーコードに記録されている院内検体ＩＤを読み取るようにしてもよい。
【００３０】
次に、バーコードリーダ２０を介して読み取られた院内検体ＩＤをデータ記憶部３４に記憶すると共に、読み取られた院内検体ＩＤを表示部１４に表示する（ステップＳ１１）。なお、院内検体ＩＤが表示部１４に表示されることにより、集荷人は院内検体ＩＤが読み取られたことを確認することができる。
【００３１】
次に、院内検体ＩＤを検査センタ用検体ＩＤに変換するために、ＩＤ変換テーブル３２に記憶されている変換パターンを参照する（ステップＳ１２）。例えば、医療機関Ａにおいては院内検体ＩＤとして、患者毎に付与されているＡ１２３のような４桁のコードからなる患者ＩＤを用いており、検査センタ用検体ＩＤとして、医療機関毎に付与されている施設番号及び検体の受付日を含む１２桁のコードを用いているとする。従って、このような場合には、ＩＤ変換テーブル３２に記憶されている変換パターンの中で、４桁のコードからなる院内検体ＩＤを１２桁のコードからなる検査センタ用検体ＩＤに変換する変換パターンを参照する。
【００３２】
次に、ステップＳ１２において参照された変換パターンに基づいて、データ記憶部３４に記憶されている院内検体ＩＤを検査センタ用検体ＩＤに変換し、変換された検査センタ用検体ＩＤを表示する（ステップＳ１３）。即ち、参照されたＩＤ変換パターンに基づいて、例えば、医療機関Ａの４桁のコードからなる院内検体ＩＤに医療機関Ａを４桁のコードで表される施設番号及び４桁のコードで表される検体の受付日を付加し、１２桁のコードからなる検査センタ用検体ＩＤに変換する。そして、変換された検査センタ用検体ＩＤを表示部１４に表示する。なお、表示部１４に検査センタ用検体ＩＤが表示されることにより、集荷人は、読み取られた院内検体ＩＤが検査センタ用検体ＩＤに変換されたことを確認することができる。
【００３３】
次に、表示部１４に表示されている検査センタ用検体ＩＤをＩＣタグに書き込む（ステップＳ１４）。即ち、ＩＣタグライタ１６を介して検体容器に貼り付けられているＩＣタグに検査センタ用検体ＩＤを書き込むことによって、ＩＣタグに検査センタ用検体ＩＤを記録させる。
【００３４】
なお、検査依頼書に貼り付けられているバーコードに記録されている院内検体ＩＤもバーコードリーダ２０を介して読み取り（ステップＳ１０）、検査センタ用検体ＩＤに変換した後に（ステップＳ１３）、変換された検査センタ用検体ＩＤを検査依頼書に貼り付けられているＩＣタグに書き込み（ステップＳ１４）、ＩＣタグに検査センタ用検体ＩＤを記録させる。
【００３５】
ここで、図４は、第１の実施の形態に係るタグ書込装置を介して検体容器に貼り付けられているＩＣタグに検査センタ用検体ＩＤを書き込む状態の一例を示す図である。まず、タグ書込装置２のハンドル部６を保持し、図４に示すように検体容器３６に貼り付けられているバーコード２２にタグ書込装置２の開口部１０を近づけ、バーコードリーダ２０を介してバーコード２２に記録されている院内検体ＩＤを読み取る。次に、読み取った院内検体ＩＤを直ちに検査センタ用検体ＩＤに変換し、ＩＣタグライタ１６を介して変換された検査センタ用検体ＩＤを検体容器３６に貼り付けられているＩＣタグ２４に書き込む。従って、読み取られた院内検体ＩＤから変換された検査センタ用検体ＩＤは、必ずその院内検体ＩＤが付されている検体を収容した検体容器に貼り付けられたＩＣタグに書き込まれる。
【００３６】
また、検査依頼書に貼り付けられたバーコードに記録された院内検体ＩＤの読み取り、読み取られた院内検体ＩＤから検査センタ用検体ＩＤへの変換及びＩＣタグへの書き込みも、図４に示す状態と同様にして行われる。
【００３７】
なお、その医療機関における全ての集荷予定の検体に付されたＩＣタグ及び検査依頼書に貼り付けられたＩＣタグのそれぞれに、検査センタ用検体ＩＤが書き込まれた場合には、集荷人は、集荷した検体を検査センタへと搬送する。
【００３８】
この第１の実施の形態に係るタグ書込装置によれば、検体容器に貼り付けられているバーコードに記録されている院内検体ＩＤを読み取り、読み取った院内検体ＩＤを検査センタ用検体ＩＤに変換して検体容器に貼り付けられているＩＣタグに書き込んでいる。従って、複数の医療機関から集荷された検体が検査センタに搬入された場合であっても、検査センタ用検体ＩＤに基づいて容易に検体の管理を行うことができる。
【００３９】
また、この第１の実施の形態に係るタグ書込装置によれば、ハンディタイプのハウジングを有しているため、検体の集荷作業を行う際に、容易にタグ書込装置を保持することができ、検体容器に付されているＩＣタグへ検査センタ用検体ＩＤを容易に書き込むことができる。
【００４０】
また、検体容器に貼り付けられているＩＣタグに検査センタ用検体ＩＤを書き込む場合と同様にして、検査依頼書に貼り付けられているＩＣタグに検査センタ用検体ＩＤを書き込んでいる。従って、検査センタに検体及び検査依頼書が搬入された際に、非接触でＩＣタグに記録されている検査センタ用検体ＩＤを読み取り、対応する検体及び検査依頼書が存在するか否かを容易、かつ、迅速に確認することができる。
【００４１】
また、検体を集荷する際にバーコードに記録されている院内検体ＩＤを検査センタ用検体ＩＤに変換してＩＣタグに書き込んでいる。そのため、医療機関においてバーコードを用いて検体の管理を行っており、検査センタにおいてＩＣタグを用いて検体の管理を行っている場合であっても、搬入された検体の管理をＩＣタグを用いて円滑に行うことができる。
【００４２】
次に、図面を参照して、この発明の第２の実施の形態に係るタグ書込装置について説明する。
【００４３】
図５は、第２の実施の形態に係るタグ書込装置の外観の概略を示す図である。図５に示すように、タグ書込装置４０は、検査依頼書の画像データを読み取るイメージスキャナ等により構成される画像データ読取部４２及びカバー部４４により構成されている。カバー部４４は、図中右端部分が画像データ読取部４２と蝶番等により繋がれており、図中左端部分を上方に持ち上げて開閉することができるようになっている。また、カバー部４４の上面にはキーボード等により構成される入力部４６が配置されており、画像データ読取部４２の側面（図中手前部分）には、非接触でＩＣタグに情報の書き込みを行うＩＣタグライタ４８が配設されている。
【００４４】
図６は、第２の実施の形態に係るタグ書込装置のブロック構成図である。図６に示すように、タグ書込装置４０は、タグ書込装置４０におけるデータの制御を行うデータ制御部５０を備えている。このデータ制御部５０には、検査依頼書の画像データを読み取る画像データ読取部４２、検査依頼書に記載されている院内検体ＩＤ等を入力する入力部４６及びＩＣタグに非接触で情報を書き込むＩＣタグライタ４８が接続されている。また、データ制御部５０には、院内検体ＩＤを検査センタ用検体ＩＤに変換するためのＩＤ変換パターンを記憶したＩＤ変換テーブル５２及び画像データ読取部４２を介して読み取られた検査依頼書の画像データ等を記憶するデータ記憶部５４が接続されている。
【００４５】
なお、ＩＤ変換テーブル５２に記憶されているＩＤ変換パターンは、第１の実施の形態に係るタグ書込装置２のＩＤ変換テーブル３２に記憶されているＩＤ変換パターンと同様であるため説明を省略する。
【００４６】
次に、図７のフローチャートを参照して、第２の実施の形態に係るタグ書込装置を介してＩＣタグに検査依頼書の画像データ及び検査センタ用検体ＩＤを書き込む処理について説明する。
【００４７】
まず、カバー部４４を上方に持ち上げ、画像データ読取部４２の上面に検査依頼内容を記載した面を下にして検査依頼書を配置し、検査依頼書の画像データを読み取る（ステップＳ２０）。なお、検査依頼書の画像データを読み取る場合には、対応する検体を収容した試験管等の検体容器をＩＣタグリーダ４８と対向する位置に配置する。また、検体容器にＩＣタグが貼り付け等されていない場合には、ＩＣタグを検体容器に貼り付けた後又は検体容器内にＩＣタグを投入した後に、検体容器を配置する。
【００４８】
次に、画像データ読取部４２を介して読み取られた検査依頼書の画像データを、データ記憶部５４に記憶する（ステップＳ２１）。
【００４９】
次に、検査依頼書に記載されている院内検体ＩＤをキーボード等により構成される入力部４６を介して入力し（ステップＳ２２）、入力された院内検体ＩＤをデータ記憶部５４に記憶する（ステップＳ２３）。なお、院内検体ＩＤは、検査依頼書の画像データと対応させてデータ記憶部５４に記憶する。
【００５０】
次に、ＩＤ変換テーブル５２に記憶されているＩＤ変換パターンを参照して（ステップＳ２４）、データ記憶部５４に記憶されている院内検体ＩＤを検査センタ用検体ＩＤに変換する（ステップＳ２５）。なお、ステップＳ２４及びステップＳ２５における処理は、図３のフローチャートのステップＳ１２及びステップＳ１３と同様の処理であるため詳細な説明を省略する。
【００５１】
次に、データ記憶部５４に記憶されている検査依頼書の画像データ及び検査センタ用検体ＩＤをＩＣタグライタ４８を介して検体容器に付されているＩＣタグに書き込む（ステップＳ２６）。
【００５２】
そして、その医療機関における全ての集荷予定の検体に付されたＩＣタグに、対応する検査依頼書の画像データ及び検査センタ用検体ＩＤが書き込まれた場合には、集荷人は、集荷した検体を検査センタへと搬送する。
【００５３】
この第２の実施の形態に係るタグ書込装置によれば、検査依頼書の画像データが対応する検体に付されているＩＣタグに書き込まれている。従って、検体とその検体の検査依頼書とを一体として管理することができ、検査センタにおける管理負担を軽減することができる。
【００５４】
また、この第２の実施の形態に係るタグ書込装置によれば、検査依頼書の画像データと共に検査センタ用検体ＩＤが検体容器に付されたＩＣタグに書き込まれている。従って、複数の医療機関から集荷された検体と検査依頼書とが検査センタに搬入された場合であっても、統一された検査センタ用検体ＩＤに基づいて容易に搬入された検体及び検査依頼書の管理を行うことができる。
【００５５】
また、この第２の実施の形態に係るタグ書込装置によれば、検体に付されたＩＣタグに検査依頼書の画像データ及び検査センタ用検体ＩＤが書き込まれている。従って、複数の医療機関からそれぞれ複数の検体が検査センタに搬入された場合であっても、非接触でＩＣタグに記録されている検査依頼書の画像データ及び検査センタ用検体ＩＤを読み取ることができ、多量に搬入された検体の確認を容易、かつ、迅速に行うことができる。
【００５６】
なお、上述の第２の実施の形態に係るタグ書込装置においては、キーボード等により構成される入力部を介して院内検体ＩＤを入力しているが、読み取られた画像データの中から院内検体ＩＤを識別し、認識するようにしてもよい。即ち、読み取った画像データの中から院内検体ＩＤを識別し、認識する院内検体ＩＤ認識部を更に備え、画像データ読取部を介して読み取られた検査依頼書の画像データの中から院内検体ＩＤを識別し、認識するようにしてもよい。この場合には、まず、院内検体ＩＤ認識部において認識された院内検体ＩＤを、ＩＤ変換テーブルに記憶されているＩＤ変換パターンを参照して検査センタ用検体ＩＤに変換する。次に、検査依頼書の画像データと共に検査センタ用検体ＩＤをＩＣタグライタを介して検体に付されているＩＣタグに書き込むことができる。
【００５７】
また、検体に付されているバーコードに記録されている院内検体ＩＤをバーコードリーダを介して読み取るようにしてもよい。即ち、検査依頼書に院内検体ＩＤを記録したバーコードが貼り付けられている場合には、バーコードに記録されている院内検体ＩＤをバーコードリーダを介して読み取るようにしてもよい。この場合には、まず、バーコードリーダを介して読み取られた院内検体ＩＤを、ＩＤ変換テーブルに記憶されているＩＤ変換パターンを参照して検査センタ用検体ＩＤに変換する。次に、検査依頼書の画像データと共に検査センタ用検体ＩＤをＩＣタグライタを介して検体に付されているＩＣタグに書き込むことができる。
【００５８】
また、上述の第２の実施の形態に係るタグ書込装置においては、読み取った検査依頼書の画像データ等を表示する表示部を備えていないが、表示部を更に備えるようにしてもよい。この場合には、読み取られた検査依頼書の画像データ、入力された院内検体ＩＤ及び変換された検査センタ用検体ＩＤを表示部に表示して、画像データの読み取り等が適切に行われたことを確認することができる。
【００５９】
次に、図面を参照して、この発明の第３の実施の形態に係るタグ書込装置について説明する。
【００６０】
図８は、この第３の実施の形態に係るタグ書込装置の外観の概略を示す図である。図８に示すように、タグ書込装置６０の上面には、タブレット装置により構成されている画像データ認識部６２が配設されている。また、タグ書込装置６０の側面（図中手前部分）には、非接触でＩＣタグに情報の書き込みを行うＩＣタグライタ６４が配設されている。なお、画像データ認識部６２は、この画像データ認識部６２上に配置された検査依頼書にペン等で記載された記載内容を認識する。
【００６１】
図９は、第３の実施の形態に係るタグ書込装置のブロック構成図である。図９に示すように、タグ書込装置６０は、タグ書込装置６０におけるデータの制御を行うデータ制御部７０を備えている。このデータ制御部７０には、検査依頼書の画像データを認識する画像データ認識部６２及び検査依頼書の画像データ等をＩＣタグに書き込むＩＣタグライタ６４が接続されている。また、データ制御部７０には、画像データ認識部６２を介して認識された画像データの中から院内検体ＩＤを識別する院内検体ＩＤ識別部７２が接続されている。また、院内検体ＩＤを検査センタ用検体ＩＤに変換するためのＩＤ変換パターンを記憶したＩＤ変換テーブル７４及び画像データ認識部６２を介して認識された検査依頼書の画像データ等を記憶するデータ記憶部７６が接続されている。
【００６２】
なお、ＩＤ変換テーブル７４に記憶されているＩＤ変換パターンは、第１の実施の形態に係るタグ書込装置２のＩＤ変換テーブル３２に記憶されているものと同様であるため、説明を省略する。
【００６３】
次に、図１０のフローチャートを参照してこの第３の実施の形態に係るタグ書込装置を介してＩＣタグに検査依頼書の画像データ及び検査センタ用検体ＩＤを書き込む処理について説明する。
【００６４】
まず、画像データ認識部６２上に検査依頼書を配置し、配置された検査依頼書にペン等を用いて検査依頼内容が記載されることによって、検査依頼書に記載された内容を画像データとして認識する（ステップＳ３０）。なお、画像データ認識部６２上に検査依頼書を配置した場合には、対応する検体を収容した試験管等の検体容器をＩＣタグライタ６４と対向する位置に配置する。また、検体容器にＩＣタグが貼り付け等されていない場合には、検体容器にＩＣタグを貼り付け又は検体容器内にＩＣタグを投入した後に、検体容器を配置する。
【００６５】
次に、ステップＳ３０において画像データ認識部６２を介して認識された検査依頼書の画像データをデータ記憶部７６に記憶する（ステップＳ３１）。次に、データ記憶部７６に記憶されている検査依頼書の画像データの中から、院内検体ＩＤ識別部７２において院内検体ＩＤを識別する（ステップＳ３２）。即ち、検査依頼書の画像データの中から、院内検体ＩＤの画像を特定し、特定された院内検体ＩＤの画像データから文字として院内検体ＩＤコードを識別することによって、院内検体ＩＤを識別する。
【００６６】
次に、ステップＳ３２において識別された院内検体ＩＤをデータ記憶部７６に記憶する（ステップＳ３３）。なお、院内検体ＩＤは、検査依頼書の画像データと対応させて記憶される。
【００６７】
次に、ＩＤ変換テーブル７４に記憶されているＩＤ変換パターンを参照して（ステップＳ３４）、データ記憶部７４に記憶されている院内検体ＩＤを検査センタ用検体ＩＤに変換する（ステップＳ３５）。なお、ステップＳ３４及びステップＳ３５における処理は、第１の実施の形態に係る処理を説明する図３のフローチャートのステップＳ１２及びステップＳ１３と同様の処理であるため、詳細な説明を省略する。
【００６８】
次に、ステップＳ３５において変換された検査センタ用検体ＩＤとデータ記憶部７６に記憶されている検査依頼書の画像データとを、検体容器に貼り付けられているＩＣタグに書き込む（ステップＳ３６）。
【００６９】
そして、その医療機関における全ての集荷予定の検体に付されたＩＣタグに、対応する検査依頼書の画像データ及び検査センタ用検体ＩＤが書き込まれた場合には、集荷人は、集荷した検体を検査センタへと搬送する。
【００７０】
この第３の実施の形態に係るタグ書込装置によれば、タブレット装置等により構成される画像データ認識部を介して認識された検査依頼書の画像データが、対応する検体に付されたＩＣタグに書き込まれている。従って、検体とその検体の検査依頼書とを一体として管理することができ、検査センタにおける管理負担を軽減することができる。
【００７１】
また、この第３の実施の形態に係るタグ書込装置によれば、検査依頼書の画像データと共に検査センタ用検体ＩＤが検体容器に付されたＩＣタグに書き込まれている。従って、複数の医療機関から集荷された検体及び検査依頼書を検査センタに搬入した場合であっても、統一された検査センタ用検体ＩＤに基づいて検体の管理を容易に行うことができる。
【００７２】
また、この第３の実施の形態に係るタグ書込装置によれば、検体容器に付されたＩＣタグに検査依頼書の画像データ及び検査センタ用検体ＩＤが書き込まれている。従って、複数の医療機関からそれぞれ複数の検体が検査センタに搬入された場合であっても、非接触でＩＣタグに記録されている検査依頼書の画像データ及び検査センタ用検体ＩＤを読み取ることができ、搬入された検体の確認等、検体の管理を容易に行うことができる。
【００７３】
なお、上述の第３の実施の形態に係るタグ書込装置においては、画像データ認識部を介して認識された画像データの中から院内検体ＩＤを識別しているが、キーボード等により構成される入力部を介して院内検体ＩＤを入力するようにしてもよい。即ち、キーボード等により構成される入力部を更に備え、検査依頼書に記載されている院内検体ＩＤを入力部を介して入力するようにしてもよい。この場合には、まず、入力部を介して入力された院内検体ＩＤを、ＩＤ変換テーブルに記憶されているＩＤ変換パターンを参照して検査センタ用検体ＩＤに変換する。次に、検査依頼書の画像データと共に検査センタ用検体ＩＤをＩＣタグライタを介して検体に付されているＩＣタグに書き込むことができる。
【００７４】
また、検体に付されたバーコードに記録されている院内検体ＩＤをバーコードリーダを介して読み取るようにしてもよい。即ち、検査依頼書に院内検体ＩＤを記録したバーコードが貼り付けられている場合には、バーコードに記録されている院内検体ＩＤをバーコードリーダを介して読み取るようにしてもよい。この場合には、まず、バーコードリーダを介して読み取られた院内検体ＩＤを、ＩＤ変換テーブルに記憶されているＩＤ変換パターンを参照して検査センタ用検体ＩＤに変換する。次に、検査依頼書の画像データと共に検査センタ用検体ＩＤをＩＣタグライタを介して検体に付されているＩＣタグに書き込むことができる。
【００７５】
また、上述の第３の実施の形態に係るタグ書込装置においては、検査依頼書の画像データの中から、院内検体ＩＤのみを識別しているが、検査依頼書の内容もテキスト情報として識別するようにしてもよい。
【００７６】
また、上述の第３の実施の形態に係るタグ書込装置においては、読み取った検査依頼書の画像データ等を表示する表示部を備えていないが、表示部を更に備えるようにしてもよい。この場合には、認識された検査依頼書の画像データ、識別された院内検体ＩＤ及び変換された検査センタ用検体ＩＤを表示部に表示し、画像データの認識等が適切に行われたことを確認することができる。
【００７７】
なお、上述の各実施の形態に係るタグ書込装置は、外部との通信を制御する通信制御部を備えていないが、例えば、無線ＬＡＮ等によるネットワークを介して外部との通信を制御する通信制御部を備えるようにしてもよい。この場合には、医療機関において検体を集荷する際にＩＣタグに書き込まれた情報を、例えば、検査センタに設置されている管理システムに送信することができる。
【００７８】
【発明の効果】
この発明によれば、検体に付されたバーコードに記録されている検体識別情報をバーコードリーダを介して読み取り、変換パターンテーブルを参照して変換された検査機関用検体識別情報を検体に付されたＩＣタグに書き込んでいる。従って、複数の医療機関のそれぞれにおいて採取された検体を検査機関に搬入している場合であっても、統一的な検査機関用検体識別情報に基づいて容易に検体の管理を行うようにすることができ、搬入された検体を管理するための負担を軽減することができる。
【００７９】
また、非接触で記録されている情報を読み取ることができるＩＣタグに検査機関用検体識別情報を記録している。そのため、多量の検体が検査機関に搬送された場合であっても、搬入された検体に付されている検査機関用検体識別情報を迅速に読み取ることができ、搬入された検体の確認を容易、かつ、迅速に行い、検体の管理負担を軽減させることができる。
【００８０】
また、検査依頼書の画像データを検体に付されたＩＣタグに書き込んでいる。従って、多量の検体が搬入された場合であっても、検体に付されたＩＣタグに検査依頼書の画像データが記録されているため、検体とその検体の検査依頼書とを一体として管理することができ、検査機関における管理負担を軽減することができる。
【００８１】
また、検査依頼書の画像データに加えて、検体識別情報から変換パターンテーブルを参照して変換された検査機関用検体識別情報を検体に付されたＩＣタグに書き込んでいる。従って、検体と検査依頼書とを確実に対応させることができると共に、複数の医療機関のそれぞれにおいて採取された検体を統一的な検査機関用検体識別情報に基づいて容易に管理することができる。
【図面の簡単な説明】
【図１】この発明の第１の実施の形態に係るハンディタイプのハウジングを有するタグ書込装置を示す図である。
【図２】この発明の第１の実施の形態に係るタグ書込装置のブロック構成図である。
【図３】この発明の第１の実施の形態に係るタグ書込装置によるＩＣタグに対する検査センタ用検体ＩＤの書き込み処理を説明するためのフローチャートである。
【図４】この発明の第１の実施の形態に係るタグ書込装置によるＩＣタグに対する検査センタ用検体ＩＤの書き込みの状態を説明するための図である。
【図５】この発明の第２の実施の形態に係るタグ書込装置の外観の概略を示す図である。
【図６】この発明の第２の実施の形態に係るタグ書込装置のブロック構成図である。
【図７】この発明の第２の実施の形態に係るタグ書込装置によるＩＣタグに対する検査依頼書の画像データ及び検査センタ用検体ＩＤの書き込み処理を説明するためのフローチャートである。
【図８】この発明の第３の実施の形態に係るタグ書込装置の外観の概略を示す図である。
【図９】この発明の第３の実施の形態に係るタグ書込装置のブロック構成図である。
【図１０】この発明の第３の実施の形態に係るタグ書込装置によるＩＣタグに対する検査依頼書の画像データ及び検査センタ用検体ＩＤの書き込み処理を説明するためのフローチャートである。
【符号の説明】
２…タグ書込装置、４…ハウジング、６…ハンドル部、８…検体情報読取部、１０…開口部、１２ａ…ＯＮボタン、１２ｂ…ＯＦＦボタン、１４…表示部、１６…ＩＣタグライタ、１８…反射ミラー、２０…バーコードリーダ、２２…バーコード、２４…ＩＣタグ、３０…データ制御部、３２…ＩＤ変換テーブル、３４…データ記憶部、３６…検体容器、４０…タグ書込装置、４２…画像データ読取部、４４…カバー部、４６…入力部、４８…ＩＣタグライタ、５０…データ制御部、５２…ＩＤ変換テーブル、５４…データ記憶部、６０…タグ書込装置、６２…画像データ認識部、６４…ＩＣタグライタ、７０…データ制御部、７２…院内検体ＩＤ識別部、７４…ＩＤ変換テーブル、７６…データ記憶部。
【図１】
2004085287.tif 000003
【図２】
2004085287.tif 000004
【図３】
2004085287.tif 000005
【図４】
2004085287.tif 000006
【図５】
2004085287.tif 000007
【図６】
2004085287.tif 000008
【図７】
2004085287.tif 000009
【図８】
2004085287.tif 000010
【図９】
2004085287.tif 000011
【図１０】
2004085287.tif 000012